(57)【要約】【課題】  プレゼンテーションにおいて、資料に対するカメラの撮影状態を容易に設定することができる資料提示装置を提供する。【解決手段】  ＲＦＩＤ部５１には、撮影状態情報として、資料の撮影フレーミングを決定するカメラヘッド４０の傾動角度や、ターンテーブル１２の回転角度、アーム２０の傾動角度等からなる１組の設定値が記憶される。上記１組の設定値が記憶されたＲＦＩＤ部５１は立体物Ｓの裏面に設ける。ＲＦＩＤ部５１が設けられた立体物Ｓをターンテーブル１２の所定の位置に載置したときに、リーダライタ部５２は、ＲＦＩＤ部５１に記憶された１組の設定値を読み取る。制御部は、リーダライタ部５２によって得られた各設定値に設定されるように、ターンテーブル１２やアーム２０等を調整する。これにより、カメラ部は、ＲＦＩＤ部５１に記憶されている１組の設定値に対応した撮影状態に自動的に再現される。【選択図】        図１
2005175737.tif 000002
【特許請求の範囲】
【請求項１】
資料が載置される資料載置面を有する資料載置手段と、
前記資料載置面に載置された資料を撮影する撮像手段と、
前記資料に対するフレーミングを決定する前記撮像手段の撮影状態に関する撮影状態情報を記憶する記憶手段と、
前記記憶手段から前記撮影状態情報を読み出し、この撮影状態情報に基づいて前記撮像手段の前記撮影状態を再現する制御手段とを備えたことを特徴とする資料提示装置。
【請求項２】
前記撮像手段の撮影状態情報の書込み、読取り、および消去を前記記憶手段に対して実行するリーダライタ手段を備え、
前記記憶手段は、前記資料に着脱自在に設けられ、前記リーダライタ手段は、前記撮像手段の撮影状態情報が記憶されている前記記憶手段が設けられた資料が前記資料載置面に載置されたときに、前記撮影状態情報を読み取り、前記制御手段は、前記リーダライタ手段によって得られた前記撮影状態情報に基づいて、前記撮像手段の撮影状態を再現することを特徴とする請求項１に記載の資料提示装置。
【請求項３】
前記記憶手段はＩＣタグ、ＩＣカードあるいは磁気カードから構成され、該ＩＣタグ、該ＩＣカードあるいは該磁気カードに対して書込み、読取り、および消去を実行する前記リーダライタ手段は、前記資料載置手段の内部に設けられていることを特徴とする請求項１または２に記載の資料提示装置。
【請求項４】
前記資料載置面上に、前記資料載置面における前記資料の載置位置を示すためのマーク、あるいは前記記憶手段を前記リーダライタ手段に正対させるための位置決め手段が設けられていることを特徴とする請求項１〜３のいずれかに記載の資料提示装置。
【請求項５】
前記記憶手段に記憶された前記撮影状態情報が関連付けられた関連情報の表示または記憶を実行する関連情報保持手段と、
前記関連情報の読取りを前記関連情報保持手段に対して実行するリーダ手段とを備え、
前記関連情報保持手段は、前記資料に着脱自在に設けられ、前記リーダ手段は、前記関連情報が記憶されている前記関連情報保持手段が設けられた前記資料が前記資料載置面に載置されたときに前記関連情報を読み取り、前記制御手段は、前記リーダ手段により得られた前記関連情報に関連付けられた前記撮影状態情報を前記記憶手段から読み出し、前記撮影状態情報に基づいて、前記撮像手段の撮影状態を再現することを特徴とする請求項１に記載の資料提示装置。
【請求項６】
前記関連情報保持手段はＩＣタグ、ＩＣカードあるいは磁気カードから構成され、前記リーダ手段は、前記資料載置手段の内部に設けられるとともに、該ＩＣタグ、該ＩＣカードあるいは該磁気カードに対して書込みおよび消去を実行する機能を兼ね備えたことを特徴とする請求項５に記載の資料提示装置。
【請求項７】
前記関連情報保持手段は、前記関連情報をバーコード、二次元バーコード、文字、あるいは記号として表示し、前記リーダ手段としての機能を兼ね備えた前記撮像手段は、前記関連情報保持手段に表示された前記バーコード、二次元バーコード、文字、あるいは記号を撮影することにより読み取ることを特徴とする請求項５に記載の資料提示装置。
【請求項８】
前記資料載置面上に、前記資料載置面における前記資料の載置位置を示すためのマーク、あるいは前記関連情報保持手段を前記リーダ手段に正対させるための位置決め手段が設けられていることを特徴とする請求項５〜７のいずれかに記載の資料提示装置。
【請求項９】
前記資料載置手段に回転自在に設けられ、前記資料載置面を有するターンテーブルと、
前記資料載置手段に傾動自在に取り付けられ、前記撮像手段を支持するアームと、
前記撮像手段を左右方向／前後方向に傾動させるパン／チルト機構と、
前記撮像手段に設けられ、前記資料に対する前記撮像手段のズーム倍率を設定するズーム機能と、
前記資料に光を照射する照明手段とを備え、
前記撮影状態情報は、前記ターンテーブルの回転角度、前記アームの傾動角度、前記パン／チルト機構による撮像手段の左右方向／前後方向の傾動角度、前記撮像手段のズーム機能のズーム倍率、前記照明手段からの光の照射方向および光量、前記撮像手段により撮影された撮影画像の濃度を補正するための濃度補正情報、および前記撮像手段により撮影された撮影画像の色を補正するための色補正情報の少なくとも１つであることを特徴とする請求項１〜８のいずれかに記載の資料提示装置。
【発明の詳細な説明】
【技術分野】
【０００１】
本発明は、資料載置台上に載置された原稿や立体物等の資料をカメラ等の撮像手段で撮影し、その撮影画像をモニタやスクリーン等の表示手段に表示させる資料提示装置に係り、特に撮像手段のアングル等の撮影状態を設定する機能を改良した資料提示装置に関する。
【背景技術】
【０００２】
モニタやスクリーン等の表示手段に資料の画像を投映し、その画像を参照しながら聴衆に対して資料の内容の説明を行うプレゼンテーションでは、資料の画像をスクリーンに投映するための手段として、近年、ＯＨＰ（オーバーヘッドプロジェクタ）に代わって、資料提示装置が用いられている。
【０００３】
資料提示装置は、たとえば特許文献１に開示されているように、原稿などの資料を載置するための資料載置台と、この資料載置台に載置された資料の画像を撮影するＣＣＤ（Charge Coupled Device）カメラなどの撮像手段を備えている。このような資料提示装置では、資料載置台に載置された原稿が撮像手段で撮影され、その撮影された画像が、表示手段に投影される。
【０００４】
【特許文献１】特許第３２０１７０７号公報（第６項、図１）
【発明の開示】
【発明が解決しようとする課題】
【０００５】
ところで、撮像手段によって資料載置台上の資料を撮影する際、資料に対して所望の撮影領域をフレーミングするために、資料の載置位置や撮像手段の撮影倍率などを調整する必要があるが、その調整作業は面倒であり、特に装置の操作に慣れない者にとっては手間がかかるものであった。
【０００６】
そこで、撮影領域のフレーミングを容易に行うために種々の技術が提案されている。たとえば、ＬＥＤから光を発光させ、その発光された光を用いて、資料載置台上にカメラの撮影範囲を示す技術が考えられている（たとえば、特許文献２）。しかしながら、この場合、ＬＥＤからの光によりカメラの撮影範囲が示されるだけであるため、その撮影範囲を参照しながら撮影領域をフレーミングする際に、上記のような面倒な調整作業を行う必要があった。
【０００７】
【特許文献２】特開平７−２９８１０３号公報（要約）
【０００８】
したがって、本発明は、プレゼンテーションにおいて資料の載置位置や撮像手段の撮影倍率などを調整する必要がなく、資料に対して所望の撮影領域をフレーミングすることができる資料提示装置を提供することを目的としている。
【課題を解決するための手段】
【０００９】
本発明の資料提示装置は、資料が載置される資料載置面を有する資料載置手段と、資料載置面に載置された資料を撮影する撮像手段と、資料に対するフレーミングを決定する撮像手段の撮影状態に関する撮影状態情報を記憶する記憶手段と、記憶手段から撮影状態情報を読み出し、撮影状態情報に基づいて撮像手段の撮影状態を再現する制御手段とを備えたことを特徴としている。
【００１０】
本発明の資料提示装置では、資料に対するフレーミングを決定する撮像手段の撮影状態に関する撮影状態情報を記憶する記憶手段を設けたので、記憶手段に所望の撮影状態に関する撮影状態情報を事前に記憶しておき、資料載置面の所定の位置に資料を載置すると、制御手段によって撮影状態情報が記憶手段から読み出され、読み出された撮影状態情報に基づいて所望の撮影状態が再現される。これにより、プレゼンテーションにおいて資料の載置位置や撮像手段の撮影倍率などを調整するための面倒な作業の必要がなく、資料に対する所望の撮影状態を自動的に再現することができる。したがって、的確かつ速やかに資料を所望の撮影状態で撮影することができる。
【００１１】
たとえば、資料載置面に複数の資料を順々に載置する場合、それぞれの資料毎に記憶手段を設け、それぞれの資料について記憶手段に所望の撮影状態に関する撮影状態情報をあらかじめ記憶することができるので、資料を交換する毎に、それぞれの資料について所望の撮影状態を自動的に再現することができる。さらに、記憶手段は、特にその形状や大きさに関係なく備えることができるので、資料が平面資料であるか立体物であるかに関係なく適用することができる。したがって、資料が複数ある場合や立体物である場合でも、的確かつ速やかに資料を所望の撮影状態で撮影することができる。
【００１２】
上記記憶手段に対して、撮像手段の撮影状態情報の書込み、読取り、あるいは消去を実行するには種々の手段を用いることができる。たとえば、撮像手段の撮影状態情報の書込み、読取り、および消去を記憶手段に対して実行するリーダライタ手段を備える。この場合、記憶手段は、資料に着脱自在に設けられる。リーダライタ手段は、撮像手段の撮影状態情報が記憶されている記憶手段が設けられた資料が資料載置面に載置されたときに、撮影状態情報を読み取る。そして、制御手段は、リーダライタ手段によって得られた撮影状態情報に基づいて、撮像手段の撮影状態を再現する。
【００１３】
上記態様では、資料に記憶手段が着脱自在に設けられ、この記憶手段に記憶される撮影状態情報がリーダライタ手段により書き換えられるので、種々の資料に対して記憶手段を用いることができ、１つの資料につき様々な撮影状態を再現することができる。
【００１４】
上記記憶手段は、ＩＣタグ、ＩＣカードあるいは磁気カードから構成するのが好適である。リーダライタ手段は、関連情報保持手段がＩＣタグおよびＩＣカードの場合には電波信号を通じて、関連情報保持手段が磁気カードの場合には磁気信号を通じて、書込み、読取り、および消去を実行する。
【００１５】
上記態様では、資料載置面上に、資料載置面における資料の載置位置を示すためのマークを設けるのが好適である。たとえば、資料の載置位置を示すためのマークとして、資料載置面に互いに直交する２直線を印刷する。また、資料としてＡ４サイズやＢ４サイズの原稿を用いる場合、その載置位置を示すためのマークとして、それぞれの原稿のサイズに対応した領域の４隅に「』」の印を印刷する。また、記憶手段をリーダライタ手段に正対させるための位置決め手段（たとえば、ストッパ）を設けるようにしてもよい。
【００１６】
撮像手段の撮影状態情報の書込み、読取り、および消去を記憶手段に対して実行するリーダライタ手段を備える代わりに、たとえば、記憶手段に記憶された撮影状態情報が関連付けられた関連情報を記憶する関連情報保持手段と、関連情報の読取りを関連情報保持手段に対して実行するリーダ手段とを備えるようにしてもよい。この場合、関連情報保持手段は、資料に着脱自在に設けられ、リーダ手段は、関連情報が記憶されている関連情報保持手段が設けられた資料が資料載置面に載置されたときに関連情報を読み取り、制御手段は、リーダ手段により得られた関連情報に関連付けられた撮影状態情報を記憶手段から読み出し、撮影状態情報に基づいて、撮像手段の撮影状態を再現する。
【００１７】
関連情報保持手段は、無線周波識別子（ＲＦＩＤ：Radio Frequency Identifier、たとえば、ＩＣタグあるいはＩＣカード）、あるいは磁気カードから構成される。この場合、リーダ手段は、資料載置手段の内部に設けられるとともに、ＩＣタグ、ＩＣカードあるいは磁気カードに対して書込みおよび消去を実行する機能を兼ね備えるようにしてもよい。リーダ手段は、関連情報保持手段がＩＣタグおよびＩＣカードの場合には電波信号を通じて、関連情報保持手段が磁気カードの場合には磁気信号を通じて、書込み、読取り、および消去を実行する。
【００１８】
あるいは、関連情報保持手段は、関連情報をバーコード、二次元バーコード、文字あるいは記号として表示するようにしてもよい。この場合、撮像手段は、リーダ手段としての機能を兼ね備え、関連情報保持手段に表示されたバーコード、二次元バーコード、文字、あるいは記号を撮影することにより読み取る。これらバーコード、二次元バーコード、文字、あるいは記号は、たとえばプリンタを用いて、シートやシール等に印刷し、それを撮像手段で撮影される資料上の所定のの位置に着脱自在に設けるようにしてもよい。
【００１９】
上記態様では、資料載置面上に、資料載置面における資料の載置位置を示すためのマークを設けるか、あるいは関連情報保持手段をリーダライタ手段に正対させるための位置決め手段を設けるのが好適である。
【００２０】
撮影状態を決定する構成としては、次のようなものが挙げられる。たとえば、資料載置手段に回転自在に設けられ、資料載置面を有するターンテーブルや、資料載置手段に傾動自在に取り付けられ、撮像手段を支持するアーム、撮像手段を左右方向／前後方向に傾動させるパン／チルト機構、撮像手段に設けられ、資料に対する撮像手段のズーム倍率を設定するズーム機能、資料に光を照射する照明手段などがある。この場合、撮影状態情報は、ターンテーブルの回転角度や、アームの傾動角度、パン／チルト機構による撮像手段の左右方向／前後方向の傾動角度、撮像手段のズーム機能のズーム倍率、照明手段からの光の照射方向および光量、撮像手段により撮影された撮影画像の濃度を補正するための濃度補正情報、撮像手段により撮影された撮影画像の色を補正するための色補正情報などがある。
【発明の効果】
【００２１】
本発明の資料提示装置によれば、資料に対するフレーミングを決定する撮像手段の撮影状態に関する撮影状態情報を記憶する記憶手段を設けたので、記憶手段に所望の撮影状態に関する撮影状態情報を事前に記憶しておき、資料載置面の所定の位置に資料を載置すると、制御手段によって撮影状態情報が記憶手段から読み出され、読み出された撮影状態情報に基づいて所望の撮影状態が再現される。これにより、プレゼンテーションにおいて資料の載置位置や撮像手段の撮影倍率などを調整するための面倒な作業の必要がなく、資料に対する所望の撮影状態を自動的に再現することができる。したがって、的確かつ速やかに資料を所望の撮影状態で撮影することができる等の効果が得られる。
【発明を実施するための最良の形態】
【００２２】
（１）第１実施形態
（Ａ）実施形態の構成
以下、本発明の第１実施形態について図面を参照して説明する。図１は、資料提示装置１０の概略構成を示す斜視図である。図２は、資料提示装置１０に載置される立体物Ｓの底部側からみた斜視図である。資料提示装置１０は、装置の基台としての資料載置台（資料載置手段）１１を備えている。資料載置台１１の上面には、回転可能なターンテーブル１２が設けられている。ターンテーブル１２には、資料として、たとえば立体物Ｓが載置される。また、資料載置台１１には、一側部の中央にアーム２０が傾動可能に取り付けられている。アーム２０の上端部には、パン／チルト機構３０を介してカメラヘッド４０が支持されている。カメラヘッド４０は、図６に示すようにカメラ部（撮像手段）４０Ａを備えている。
【００２３】
立体物Ｓには、ＲＦＩＤ部（記憶手段）５１が着脱自在に設けられ、ＲＦＩＤ部５１には、カメラ部４０Ａの撮影状態に関する撮影状態情報が記憶される。資料提示装置１０の内部には、リーダライタ部（リーダライタ手段）５２が設けられ、リーダライタ部５２は、ＲＦＩＤ部５１に対して上記撮影状態情報の書込み、読取り、および消去を実行する。また、資料載置台１１の正面には操作パネル６０が設けられている。操作パネル６０を操作することにより、ＲＦＩＤ部５１に対して上記撮影状態情報が記憶される。ターンテーブル１２に立体物Ｓが載置された場合、リーダライタ部５２によって、立体物ＳのＲＦＩＤ部５１に記憶されている撮影状態情報が読み取られる。カメラ部４０Ａは、その撮影状態が撮影状態情報に基づいて再現され、再現された撮影状態で立体物Ｓを撮影する。撮影された立体物Ｓの撮影画像の画像データは、画像出力端子（図示略）に接続された画像出力装置（図示略）に出力される。
【００２４】
画像出力端子は、資料載置台１１の背面等に配置されている。画像出力装置は、ＣＲＴや液晶ディスプレイ等のモニタ、あるいは液晶プロジェクタなどである。モニタの場合は、そこにカメラ部４０Ａで撮影された撮影画像が表示される。また、液晶プロジェクタの場合は、そこからスクリーンなどにカメラ部４０Ａで撮影された撮影画像が投影される。本実施形態では、ＲＦＩＤ部５１およびリーダライタ部５２とこれら部位により実現されるカメラ部４０Ａの撮影状態の再現機能について詳述し、それ以外の構成・作用の説明については簡略化する。
【００２５】
ターンテーブル１２は、円盤状の資料載置面を有し、そこには資料として、たとえば家の模型などの立体物Ｓが載置される。ターンテーブル１２は、図１に示すように、その中心を軸として、資料載置台１１に対して時計回り・反時計回りの両方向（図１で矢印Ｇ−Ｈ方向、回転角度θ１に対応）に回転可能に設けられている。この場合、ターンテーブル１２は、上記両方向ともに、３６０゜以上回転することが可能である。このようなターンテーブル１２の資料載置面には、図３に示すように資料の載置位置を示すためのマークとして互いに直交する２つの直線が印刷されている。この場合、それぞれの直線に等間隔に目盛りを付しておいてもよい。また、これら直線に加えて、資料としてＡ４サイズやＢ４サイズの原稿を載置する場合、その載置位置を示すためのマークとして、「』」の印が、それぞれの原稿のサイズに対応した領域の４隅に印刷されている。
【００２６】
アーム２０は、その基端部が、傾動軸２１を介して、資料載置台１１の一側部に形成されたヒンジ突起２２に傾動可能に取り付けられている。アーム２０は、図４に示すように資料載置台１１に対して垂直方向（すなわち、９０゜に起立した状態）から水平方向（すなわち、０゜に傾倒した状態）までの範囲内で（図１，図４でＫ−Ｌ方向、傾動角度θ２に対応）傾動する。
【００２７】
パン／チルト機構３０は、図５（Ａ），（Ｂ）に示すようにアーム２０の上端部前面に形成された円筒状のホルダ３１を備えている。ホルダ３１内には、パン軸３２が回転可能に取り付けられ、パン軸３２の先端には、チルト軸３３が取り付けられている。チルト軸３３には、カメラヘッド４０が回転可能に取り付けられている。パン軸３２がホルダ３１内で回転することによって、カメラヘッド４０が資料載置台１１の資料載置面に対し左右方向（図１でＸ−Ｘ’方向に対応）に傾動する。また、チルト軸３３を中心としてＴ−Ｔ’方向に回転することにより、カメラヘッド４０が資料載置台１１の資料載置面に対し前後方向（図１でＹ−Ｙ’方向に対応）に傾動する。
【００２８】
カメラヘッド４０の下面には、資料載置台１１に対して光を照射する複数のライト（照明手段）４１が取り付けられている（図１にのみ図示）。カメラヘッド４０の内部には、カメラ部４０Ａが配置されている。
【００２９】
カメラ部４０Ａは、図６に示すようにカメラヘッド４０の下端に配置されたズームレンズ４２と、このズームレンズ４２の上方に所定間隔をおいて配置されたＣＣＤカメラ等からなる動画撮影用のカメラ４３とから構成されている。ズームレンズ４２は、その光軸がターンテーブル１２に直交する状態で取り付けられている。カメラ４３には、ズームレンズ４２によってターンテーブル１２上の立体物Ｓの画像が結像される。なお、ズームレンズ４２の光軸（図４では一点鎖線で示している）は、アーム２０の傾動角度θ２がいかなる場合でもターンテーブル１２の中心より若干上方部分であって、アーム２０の傾動軸２１の中心軸線上を通るようになっている。
【００３０】
ＲＦＩＤ部５１は、無線周波識別子（たとえば、ＩＣタグあるいはＩＣカード）により構成されている。ＲＦＩＤ部５１には、立体物Ｓに対するフレーミングを決定するカメラ部４０Ａの撮影状態に関する撮影状態情報が記憶される。撮影状態情報としては、たとえば、ターンテーブル１２の回転角度、アーム２０の傾動角度、パン／チルト機構３０の左右／前後方向の傾動角度、およびズームレンズ４２のズーム倍率の各設定値が挙げられる。
【００３１】
リーダライタ部５２は、ターンテーブル１２に立体物Ｓが載置されているときに、ＲＦＩＤ部５１に対してカメラ部４０Ａの撮影状態情報の書込み、読取り、および消去を実行する。この場合、リーダライタ部５２は、ＲＦＩＤ部５１との間で電波信号の送受信を行う。たとえば、リーダライタ部５２は、書込みを行う場合、ＲＦＩＤ部５１に対して撮影状態情報を有する電波信号を送信する。リーダライタ部５２は、読取りを行う場合、ＲＦＩＤ部５１から送信される撮影状態情報を有する電波信号を受信する。リーダライタ部５２は、消去を行う場合、ＲＦＩＤ部５１に対して撮影状態情報を消去するための電波信号を送信する。
【００３２】
また、資料提示装置１０は、図７に示すように、上記各部位を電動で駆動するための駆動部９１〜９４と、これら駆動部９１〜９４を制御する制御部９５とを備えている。図７は、資料提示装置１０の制御ブロック図を示している。ターンテーブル駆動部９１は、ターンテーブル１２を回転させる。アーム駆動部９２は、アーム２０を傾動させる。パン／チルト駆動部９３は、パン軸３２およびチルト軸３３を回転させることにより、左右／前後方向にカメラヘッド４０を傾動させる。ズームレンズ駆動部９４は、ズームレンズ４２を駆動してズーム倍率を調整する。制御部９５は、上記操作パネル６０からの操作信号に基づいて駆動部９１〜９４を駆動する。
【００３３】
操作パネル６０は、マニュアル撮影用操作パネル７０およびオート撮影用操作パネル８０から構成されている。図８に示すように、資料載置台１１の正面の右側にマニュアル撮影用操作パネル７０が設けられ、その左側にオート撮影用操作パネル８０が設けられている。これら操作パネル７０，８０は、押した状態ではオンとなり、押さない状態ではオフとなるプッシュ式ボタンから構成されている。
【００３４】
マニュアル撮影用操作パネル７０は、カメラ部４０Ａの撮影状態を手動で設定するためパネルであり、そこにはボタン７１〜７４が設けられている。ターンテーブルボタン７１は、ターンテーブル１２を時計回りに回転させるためのボタンと、ターンテーブル１２を反時計回りに回転させるためのボタンとから構成されている。このようなターンテーブルボタン７１を操作することにより、ターンテーブル１２の回転角度θ１が調整される。アームボタン７２は、アーム２０を起立方向に傾動させるためのボタンと、傾倒方向に傾動させるためのボタンとから構成されている。このようなアームボタン７２を操作することにより、アーム２０の傾動角度θ２が調整される。
【００３５】
パン／チルトボタン７３は、パン軸３２およびチルト軸３３を各方向ごとに回転させるための４つのボタンから構成されている。このようなパン／チルトボタン７３を操作することにより、カメラヘッド４０の左右／前後方向（Ｘ−Ｘ’／Ｙ−Ｙ’方向）の傾動角度が調整される。ズームボタン７４は、ズームアップするためのテレ（望遠）ボタンと、ズームダウンするためのワイド（広角）ボタンから構成されている。このようなズームボタン７４を操作することにより、ズームレンズ４２のズーム倍率が調整される。
【００３６】
オート撮影用操作パネル８０は、カメラ部４０Ａの撮影状態を自動で再現するためのパネルであり、そこにはボタン８１〜８４が設けられている。登録ボタン８１は、上記マニュアル撮影用操作パネル７０の操作により設定されたターンテーブル１２の回転角度θ１、アーム２０の傾動角度θ２、パン／チルト機構３０により傾動させられたカメラ部４０Ａの左右／前後方向の傾動角度、およびズームレンズ４２のズーム倍率からなる設定値の組をＲＦＩＤ部５１に記憶するためのボタンである。リセットボタン８２は、ＲＦＩＤ部５１に記憶されている設定値の組を消去するためのボタンである。撮影状態再現ボタン８３は、ＲＦＩＤ部５１に記憶されている設定値となるように、ターンテーブル１２、アーム２０、パン／チルト機構３０およびズームレンズ４２のそれぞれを調整して、カメラ部４０Ａの撮影状態を自動で再現するためのボタンである。上記部位の設定値を１組のみ扱う場合は、これらボタン８１〜８３を用いる。具体的には、登録ボタン８１を押下することにより、上記部位の設定値の１組をＲＦＩＤ部５１に記憶し、撮影状態再現ボタン８３を押下することにより、ＲＦＩＤ部５１に記憶されている上記部位の設定値の１組に基づいて、カメラ部４０Ａの撮影状態を自動で再現し、リセットボタン８２を押下することにより、ＲＦＩＤ部５１に記憶されている上記部位の設定値の１組を消去する。
【００３７】
上記部位の設定値の組を複数扱う場合は、上記ボタン８１〜８３に加えて番号指定ボタン８４を用いる。番号指定ボタン８４は、上記部位の１組の設定値により設定されるカメラ部４０Ａの撮影状態情報を複数記憶するためのボタンである。番号指定ボタン８４は、たとえば１〜４の番号が付された番号ボタン８４ａ〜８４ｄから構成されている。このような番号指定ボタン８４は、たとえば、１つの資料に対して複数の撮影状態を設定する場合や、ターンテーブル１２に複数の資料を載置し、それぞれの資料に対して撮影状態を設定する場合に用いられる。たとえば、番号ボタン８４ａ〜８４ｄのいずれか１つ（たとえば、番号ボタン８４ａ）を押下してから登録ボタン８１を押下すると、上記部位の１組の設定値は、”撮影状態１”としてＲＦＩＤ部５１に記憶される。この場合、番号ボタン８４ａを押下してから撮影状態再現ボタン８３を押下すると、”撮影状態１”としてＲＦＩＤ部５１に記憶されているカメラ部４０Ａの撮影状態が再現される。また、番号ボタン８４ａを押下してからリセットボタン８２を押下すると、”撮影状態１”としてＲＦＩＤ部５１に記憶されているカメラ部４０Ａの撮影状態情報が消去される。本実施形態では、番号指定ボタン８４は番号ボタン８４ａ〜８４ｄの４つのボタンから構成されるので、ＲＦＩＤ部５１は、上記部位の設定値の組を最大４つまで記憶することができる。
【００３８】
（Ｂ）実施形態の動作
次に、上記構成を有する資料提示装置１０の動作について説明する。まず、資料（たとえば、立体物Ｓ）にＲＦＩＤ部５１を貼り付ける。この場合、ＲＦＩＤ部５１がカメラ部４０Ａのアングル内に入らないよう立体物Ｓの裏面に貼り付けるのが好適である。次に、ターンテーブル１２の資料載置面の所定の位置に、ＲＦＩＤ部５１が貼り付けられた立体物Ｓを載置する。この場合、ターンテーブル１２の資料載置面に印刷された互いに直交する２直線を基準にすると、たとえばプレゼンテーション時に立体物Ｓを同じ位置に再度載置することが容易となる。
【００３９】
続いて、マニュアル撮影用操作パネル７０のボタン７１〜７４を選択的に押下することにより、ターンテーブル１２、アーム２０、パン／チルト機構３０、およびズームレンズ４２のそれぞれを調整して、立体物Ｓに対して複数（たとえば、３つ）の撮影状態を順に設定し、オートマニュアル撮影用操作パネル８０のボタン８１，８４を選択的に押下することにより、それぞれの撮影状態が設定された時のターンテーブル１２の回転角度θ１、アーム２０の傾動角度θ２、パン／チルト機構３０の左右／前後方向の傾動角度、およびズームレンズ４２のズーム倍率からなる１組の設定値をＲＦＩＤ部５１に順次記憶する。
【００４０】
この場合、最初にカメラ部４０Ａの撮影状態を設定した後に、番号ボタン８４ａを押下してから登録ボタン８１を押下し、２回目にカメラ部４０Ａの撮影状態を設定した後に、番号ボタン８４ｂを押下してから登録ボタン８１を押下し、３回目にカメラ部４０Ａの撮影状態を設定した後に、番号ボタン８４ｃを押下してから登録ボタン８１を押下することにより、リーダライタ部５２によって、それぞれのカメラ部４０Ａの撮影状態に対応した上記部位の設定値の組が、”撮影状態１”、”撮影状態２”、”撮影状態３”としてＲＦＩＤ部５１に順次書き込まれる。以上のような操作は、プレゼンテーションの前に予め行っておく。
【００４１】
次いで、プレゼンテーションにおいて、プレゼンター（図示略）は、ターンテーブル１２の資料載置面上に、ＲＦＩＤ部５１が貼り付けられた立体物Ｓを載置する。このＲＦＩＤ部５１には、上記部位の設定値の組が３つ、”撮影状態１”、”撮影状態２”および”撮影状態３”として記憶されている。この場合、資料載置面における立体物Ｓの載置箇所は、プレゼンテーション前にカメラ部４０Ａの撮影状態を記憶したときと同じ位置とする。
【００４２】
次に、プレゼンターが番号ボタン８４ａを押下してから撮影状態再現ボタン８３を押下すると、リーダライタ部５２は”撮影状態１”としてＲＦＩＤ部５１に記憶されている上記部位の１組の設定値を読み取る。そして、制御部９５は、各駆動部９１〜９４を駆動し、ターンテーブル１２、アーム２０、パン／チルト機構３０、およびズームレンズ４２のそれぞれを調整し、これら各部位をＲＦＩＤ部５１から読み出された設定値に設定する。これにより、”撮影状態１”として記憶されたカメラ部４０Ａの撮影状態が自動的に再現される。次いで、カメラ部４０Ａは、自動的に再現された撮影状態で立体物Ｓを撮影する。そして、撮影された立体物Ｓの画像データは、画像出力装置（たとえば、液晶プロジェクタ）に出力され、その撮影画像がスクリーンに投影される。
【００４３】
続いて、プレゼンターは、ＲＦＩＤ部５１に”撮影状態２”（あるいは、”撮影状態３”）として記憶されたカメラ部４０Ａの撮影状態で立体物Ｓを撮影したい場合、番号ボタン８４ｂ（あるいは、番号ボタン８４ｃ）を押下し、撮影状態再現ボタン８３を押下することにより、上記と同様にして”撮影状態２”あるいは、”撮影状態３”として記憶されたカメラ部４０Ａの撮影状態が自動的に再現される。
【００４４】
なお、上記実施形態では、マニュアル撮影用操作パネル７０でカメラ部４０Ａの撮影状態を設定し、オート撮影用操作パネル８０でカメラ部４０Ａの撮影状態を再現する撮影状態自動再現機能について説明したが、撮影状態自動再現機能を用いず、マニュアル撮影用操作パネル７０で設定した撮影状態で立体物Ｓを撮影することも可能である。また、マニュアル撮影用操作パネル７０を用いて、オート撮影用操作パネル８０で再現されたカメラ部４０Ａの撮影状態を調整することも可能である。さらに、上記実施形態では、資料載置面に１つの資料を載置する場合について説明したが、資料載置面に複数の資料を１度に載置することも可能である。この場合、複数の資料のうちの１つにＲＦＩＤ部５１を貼り付け、そのＲＦＩＤ部５１に対して、たとえば、上記のようにして番号指定ボタン８４を用いて複数の撮影状態情報を記憶するようにしてもよい。あるいは、それぞれの資料にＲＦＩＤ部５１を貼り付け、上記のようにして番号指定ボタン８４を用いてＲＦＩＤ部５１毎に、それが貼り付けられた資料の撮影状態情報を記憶するようにしてもよい。
【００４５】
本実施形態の資料提示装置１０では、立体物Ｓに対するフレーミングを決定するカメラ部４０Ａの撮影状態に関する撮影状態情報を記憶するＲＦＩＤ部５１を設けたので、ＲＦＩＤ部５１に所望の撮影状態に関する撮影状態情報を事前に記憶しておき、資料載置面の所定の位置に資料を載置すると、制御部９５によって撮影状態情報がＲＦＩＤ部５１から読み出され、読み出された撮影状態情報に基づいて所望の撮影状態が再現される。これにより、プレゼンテーションにおいて立体物Ｓの載置位置やカメラ部４０Ａの撮影倍率などを調整するための面倒な作業の必要がなく、立体物Ｓに対する所望の撮影状態を自動的に再現することができる。したがって、的確かつ速やかに立体物Ｓを所望の撮影状態で撮影することができる。
【００４６】
たとえば、資料載置面に複数の資料を順々に載置する場合、それぞれの資料毎にＲＦＩＤ部５１を設け、それぞれの資料についてＲＦＩＤ部５１に所望の撮影状態に関する撮影状態情報をあらかじめ記憶することができるので、資料を交換する毎に、それぞれの資料について所望の撮影状態を自動的に再現することができる。さらに、ＲＦＩＤ部５１は、特にその形状や大きさに関係なく資料に設けることができるので、資料が平面資料であるか立体物であるかに関係なく適用することができる。したがって、資料が複数ある場合や立体物である場合でも、的確かつ速やかに資料を所望の撮影状態で撮影することができる。
【００４７】
また、立体物ＳにＲＦＩＤ部５１が着脱自在に設けられ、このＲＦＩＤ部５１に記憶される撮影状態情報がリーダライタ部５２により書き換えられるので、種々の資料に対してＲＦＩＤ部５１を用いることができ、１つの資料につき様々な撮影状態を再現することができる。
【００４８】
（２）第２実施形態
図９などを参照して、本発明の第２実施形態について説明する。図９は、第２実施形態の制御ブロック図を示している。なお、以下の実施形態では、第１実施形態と同様な構成要素には同符号を付して、その構成・作用の説明は省略する。第１実施形態では、カメラ部４０Ａの撮影状態情報を記憶する記憶手段としてＲＦＩＤ部５１を立体物Ｓに対して着脱自在に設け、ＲＦＩＤ部５１に対して撮影状態情報の書込み、読取りおよび消去を実行するリーダライタ手段としてリーダライタ部５２を用いたが、第２実施形態では、たとえば記憶手段として資料提示装置１０の内部に記憶部９６を設け、記憶部９６に記憶された撮影状態情報が関連付けられた関連情報を記憶する関連情報保持手段として上記ＲＦＩＤ部５１を用い、ＲＦＩＤ部５１に対して関連情報の読取りを実行するリーダ手段として上記リーダライタ部５２を用いる。なお、リーダライタ部５２は、ＲＦＩＤ部５１に対して関連情報の読取りだけでなく、関連情報の書込みおよび消去も実行する。
【００４９】
第２実施形態では、まず、第１実施形態と同様にしてＲＦＩＤ部５１を貼り付けられた立体物Ｓをターンテーブル１２の所定の箇所に載置し、マニュアル撮影用操作パネル７０の操作によって、ターンテーブル１２、アーム２０、パン／チルト機構３０、およびズームレンズ４２のそれぞれを調整して、ターンテーブル１２の回転角度θ１、アーム２０の傾動角度θ２、パン／チルト機構３０によるカメラ部４０Ａの左右／前後方向の傾動角度、およびズームレンズ４２のズーム倍率を設定し、オート撮影用操作パネル８０の登録ボタン８１を押下する。すると、制御部９５は、上記部位の設定値の１組をカメラ部４０Ａの撮影状態情報として記憶部９６に記憶するとともに、この撮影状態情報に対して関連情報として番号（たとえば、３桁〜４桁の番号）を付与し、その付与された番号をＲＦＩＤ部５１に書き込む。
【００５０】
そして、プレゼンテーションにおいて、プレゼンターは、ＲＦＩＤ部５１が貼り付けられた立体物Ｓをターンテーブル１２上の上記位置に載置した後、撮影状態再現ボタン８３を押下する。すると、リーダライタ部５２は、ＲＦＩＤ部５１に記憶されている番号を読み取り、制御部９５は、その番号に関連付けられた上記部位の設定値の１組を記憶部９６から読み出すことにより、ターンテーブル１２、アーム２０、パン／チルト機構３０、およびズームレンズ４２のそれぞれを調整し、これら各部位を記憶部９６から読み出された設定値に設定する。これにより、カメラ部４０Ａの撮影状態が自動的に再現される。したがって、第１実施形態と同様な作用・効果を得ることができる。
【００５１】
なお、リーダライタ部５２がＲＦＩＤ部５１に対して関連情報の消去を実行するとき、その関連情報に関連付けられている撮影状態情報を記憶部９６から消去する。
【００５２】
上記態様では、関連情報保持手段としてＲＦＩＤ部５１を用い、ＲＦＩＤ部５１に対して電波信号を通じて関連情報の読取りを実行するリーダ手段としてリーダライタ部５２を用いたが、これに限定されるものではない。たとえば、関連情報保持手段として、シート（あるいは、シール等）を用い、そこに、上記１組の設定値が関連付けられたバーコード（あるいは、二次元バーコードや、英数字等の文字、記号等）を表示し、表示されたバーコードを読み取るリーダ手段としてカメラ部４０Ａを用いる。
【００５３】
この場合、オート撮影用操作パネル８０の登録ボタン８１を押下すると、制御部９５によって、上記１組の設定値が記憶部９６に記憶されるとともに、上記１組の設定値に関連付けられたバーコードが発行される。バーコードは、たとえばプリンタを用いてシートに印刷する。このようにバーコードが印刷されたシートは、カメラ部４０Ａのアングル内に入るように、資料上の所定の位置に貼り付ける。リーダ手段としての機能を兼ね備えたカメラ部４０Ａは、資料上のシートに印刷されたバーコードを撮影することにより読み取り、制御部９５は、カメラ部４０Ａで読み取られたバーコードに関連付けられた上記１組の設定値を記憶部９６から読み出す。以降、ＲＦＩＤ部５１を用いた場合と同様にして、読み出された撮影状態情報に基づいてカメラ部４０Ａの撮影状態が自動的に再現される。
【００５４】
（３）変形例
上記実施形態を挙げて本発明を説明したが、本発明は上記実施形態に限定されるものではなく、種々の変形が可能である。たとえば、上記実施形態では、記憶手段あるいは関連情報保持手段として、ＩＣカードやＩＣタグから構成されるＲＦＩＤ部５１を用いたが、たとえば磁気カードを用いるようにしてもよい。この場合、リーダライタ部５２としては、磁気カードとの間で磁気信号の送受信を行うことができるものを用いる。
【００５５】
また、上記実施形態では、撮影状態情報として、ターンテーブル１２の回転角度θ１、アーム２０の傾動角度θ２、パン／チルト機構３０によるカメラヘッド４０の左右／前後方向の傾動角度、およびズームレンズ４２のズーム倍率を用いたが、これら値に加えて、カメラ４３の回転角度、ライト４１からの光の照射方向および光量、カメラ部４０Ａにより撮影された撮影画像の濃度を補正するための濃度補正情報、およびカメラ部４０Ａにより撮影された撮影画像の色を補正するための色補正情報も用いてもよい。さらに、これら情報のうち少なくとも一つを用いるようにしてもよい。
【００５６】
ここで、撮影状態情報としてライト４１の光の照射方向を用いる場合、ライト駆動部を設け、そのライト駆動部の操作を行うためのライトボタンをマニュアル撮影用操作パネル７０に設け、そのライトボタンの操作により電動でライト４１の位置を移動可能とする。この場合、ライト４１の光の照射方向および光量を調整することにより、照明光による資料反射（テカリ）が撮影画像に生じることを防止することができ、かつ、資料として立体物を用いる場合、その立体物がより立体的に見えるように撮影することができる。
【００５７】
さらに、上記実施形態では、ターンテーブル１２の回転角度θ１、アーム２０の傾動角度θ２、パン／チルト機構３０によるカメラヘッド４０の左右方向／前後方向の傾動角度、およびズームレンズ４２のズーム倍率を調整可能としたが、これに限定されるものではなく、たとえば上記部位の少なくとも一つを調整可能としてもよい。たとえば、ターンテーブル１２の回転角度θ１およびアーム２０の傾動角度θ２を調整可能とする、あるいはパン／チルト機構３０によるカメラヘッド４０の左右方向／前後方向の傾動角度およびズームレンズ４２のズーム倍率を調整可能とし、これら部位を調整することによってカメラ部４０Ａの撮影状態を設定するようにしてもよい。
【００５８】
加えて、上記実施形態では、ターンテーブル１２の資料載置面上に、資料載置面における資料の載置位置を示すためのマークとして、直交する２直線および「』」の印を設けたが、ＲＦＩＤ部５１をリーダライタ部５２に正対させるための位置決め手段（たとえば、ストッパ）を設けるようにしてもよい。
【図面の簡単な説明】
【００５９】
【図１】本発明の第１実施形態に係る資料提示装置の斜視図である。
【図２】本発明の第１実施形態に係る資料提示装置に載置される立体物の底部側からみた斜視図である。
【図３】本発明の第１実施形態に係る資料提示装置のターンテーブルの上面図である。
【図４】本発明の第１実施形態に係る資料提示装置の側面図である。
【図５】本発明の第１実施形態に係る資料提示装置のパン／チルト機構の（Ａ）上面図、（Ｂ）側面図である。
【図６】本発明の第１実施形態に係る資料提示装置のカメラヘッドの斜視図である。
【図７】本発明の第１実施形態に係る資料提示装置の制御部の動作系統を示すブロック図である。
【図８】本発明の第１実施形態に係る資料提示装置の操作パネルを示す図である。
【図９】本発明の第２実施形態に係る資料提示装置の制御部の動作系統を示すブロック図である。
【符号の説明】
【００６０】
１０…資料提示装置、１１…資料載置台（資料載置手段）、１２…ターンテーブル、２０…アーム、３０…パン／チルト機構、４０Ａ…カメラ部（撮像手段）、４１…ライト（照明手段）、４２…ズームレンズ、４３…カメラ、５１…ＲＦＩＤ部（記憶手段）、５２…リーダライタ部（リーダライタ手段）、９１…ターンテーブル駆動部（駆動手段）、９２…アーム駆動部（駆動手段）、９３…パン／チルト駆動部（駆動手段）、９４…ズームレンズ駆動部（駆動手段）、９５…制御部（制御手段）
【図１】
2005175737.tif 000003
【図２】
2005175737.tif 000004
【図３】
2005175737.tif 000005
【図４】
2005175737.tif 000006
【図５】
2005175737.tif 000007
【図６】
2005175737.tif 000008
【図７】
2005175737.tif 000009
【図８】
2005175737.tif 000010
【図９】
2005175737.tif 000011